(57)【要約】      （修正有）【課題】イヤホンジャック用アクセサリーの紛失を防ぎ、イヤホンのアクセサリーにもなるイヤホンジャック用アクセサリーホルダーを提供する。【解決手段】ホルダー４は、平面において大小の円弧を繋いだ形態で正面矩形をなすプラスチック、ゴムなどの軟質弾性体からなり、これに円弧に沿って複数の貫通穴４１、４２を設け、小さな貫通穴４１の内径は、イヤホンコード３の外径と同じか細くし、この貫通穴４１を押し広げてイヤホンプラグを挿通させイヤホンコード３に密着できるようにし、大きな貫通穴４２はイヤホンジャック用アクセサリーのプラグ先端の金属端子部を模した棒体の外径と同じか細くして、受け容れ保持するようにした。【選択図】図４
0003186140.tif 000002
【実用新案登録請求の範囲】
【請求項１】
平面において大小の円弧を繋いだ形態でプラスチック、ゴムなどの軟質弾性体からなり、これに円弧に沿って複数の貫通穴を設け、小さな貫通穴の内径は、イヤホンコードの外径と同じか短くし、この貫通穴を押し広げてイヤホンプラグを挿通させイヤホンコードに密着できるようにし、大きな貫通穴はイヤホンジャック用アクセサリーのプラグ先端の金属端子部を模した棒体の外径と同じか短くして、受け容れ保持するようにしたことを特徴とするイヤホンジャック用アクセサリーのホルダー。
【請求項２】
軟質弾性体の平面形状を卵形として一の大きな貫通穴を設け、ここに一つのイヤホンジャック用アクセサリーを保持できるようにした請求項１記載のイヤホンジャック用アクセサリーのホルダー。
【請求項３】
大きな貫通穴を複数設け、複数のイヤホンジャック用アクセサリーを保持できるようにしたことを特徴とする請求項１記載のイヤホンジャック用アクセサリーのホルダー。
【考案の詳細な説明】
【技術分野】
【０００１】
音楽再生機能付のスマートホンなどの携帯電話、携帯ラジオやデジタルオーディオプレイヤーなどの外部接続用の端子としてのイヤホンジャックを配置したハウジングの開口を、外部端子を使用していない状態で塞ぐためのイヤホンジャック用アクセサリーが提供されている。
イヤホンを利用する場合には当然このアクセサリーを抜き取って、ポケットやバッグに収めて一時保管することになるが、保管場所を忘れたり、小さいものであるので紛れ込んで捜すのに手間が掛かっていた。
そこで、このアクセサリーをイヤホンコードに添うように保持できるようにしたホルダーを提供しようとするものである。
【背景技術】
【０００２】
携帯電話用などの装飾用グッズの一として、イヤホンジャックの開口を塞ぎ、チリや埃、雨などによる水分の侵入を防ぐ機能を備えた棒体と、この棒体と一体或いは交換可能な動物や植物或いはキャラクターなどを模した装飾体を備えたものが、イヤホンジャック用アクセサリーとして特許文献１乃至特許文献５に示すように提案されている。
【０００３】
このようなイヤホンジャック用アクセサリーを、イヤホンを使うときに抜き出し一時的に保管する手段としては特許文献６及び特許文献７に示すものがある。
【先行技術文献】
【特許文献】
【０００４】
【特許文献１】実用新案登録第３０８８４９６号公報
【特許文献２】実用新案登録第３１７１３４９号公報
【特許文献３】実用新案登録第３１７１３４５号公報
【特許文献４】実用新案登録第３１７０８６８号公報
【特許文献５】実用新案登録第３１７０６０４号公報
【特許文献６】実用新案登録第３１７１４９１号公報
【特許文献７】実用新案登録第３１７９８６９号公報
【考案の概要】
【考案が解決しようとする課題】
【０００５】
特許文献６に示すホルダーは、携帯電話やイヤホンとは別途、ホルダーを設けるようにしたといえる。しかし、単なる筒状のホルダーのみでは紛失する虞は解消せず、ホルダーをホルダーケースに内臓することで、取り外した状態で新たな装飾品となるものの、ホルダーケースごとポケットやバッグに入れてしまえば装飾品とならず、ホルダーケースに丸環、ナスカンを配し、別途キーホルダーリングやチェーンによりバッグに吊るして装飾品となる。
【０００６】
特許文献７に示すホルダーは本件出願人の先行考案に係るもので、イヤホンコードを通す貫通穴の内径をイヤホンコードの外径よりも長くして、イヤホンプラグのマウント部を乗り越えやすくしたのである。しかし、そのため装着状態で遊びが生じ動いてしまうことになる。それを避ける為には遊びを塞ぐフィラーを嵌め込むことで解消できるが、部品点数が増えてしまい管理が面倒となっていた。
【０００７】
この考案では、イヤホンジャック用のアクセサリーを、イヤホンジャックから外してイヤホンにて音楽などを楽しむときに、イヤホンのコードと一体として保持できるようにすることで紛失しないようにするとともに、イヤホンを携帯電話などから外したときに、速やかにイヤホンジャックにイヤホンジャック用アクセサリーを刺し込むことができるようにしたのである。加えて、一般的には機能的な形態にどどまるイヤホンのアクセサリーにもなるようにしたのである。
【課題を解決するための手段】
【０００８】
請求項１のイヤホンジャック用アクセサリーのホルダーに係る考案は、平面において大小の円弧を繋いだ形態でプラスチック、ゴムなどの軟質弾性体からなり、これに円弧に沿って複数の貫通穴を設け、小さな貫通穴の内径は、イヤホンコードの外径と同じか短くし、この貫通穴を押し広げてイヤホンプラグを挿通させイヤホンコードに密着できるようにし、大きな貫通穴はイヤホンジャック用アクセサリーのプラグ先端の金属端子部を模した棒体の外径と同じか短くして、受け容れ保持するようにしたものである。
【０００９】
請求項２の考案は、請求項１の考案の、軟質弾性体の平面形状を卵形として一の大きな貫通穴を設け、ここに一つのイヤホンジャック用アクセサリーを保持できるようにしたものである。
【００１０】
請求項３の考案は、大きな貫通穴を複数設け、複数のイヤホンジャック用アクセサリーを保持できるようにしたものである。
【考案の効果】
【００１１】
請求項１の考案では、イヤホンジャック用アクセサリーのホルダーの小さな貫通穴を押し広げてイヤホンプラグを通してイヤホンのイヤホンコードに密着停止させることができ、イヤホンを利用するときに、他の貫通穴にはイヤホンジャック用アクセサリーを押し込むことで確実に保持することができることになる。そして、イヤホンジャック用アクセサリーがイヤホン用アクセサリーともなり、従来のようにハンドバックやポケットに収める必要がなくなったのである。
【００１２】
請求項２の考案では、軟質弾性体の平面形状を卵形とし、一の大きな貫通穴をアクセサリーの棒体を受け容れ保持する貫通穴の内径を、棒体と同一或いは短いものとして、同一であれば棒体が貫通穴に密着し、短いと棒体の周囲を押圧することになり、いずれにしてもアクセサリーの抜け落ちを確実に防止できることになる。
【００１３】
請求項３の考案では、大きな貫通穴を複数設けることができるので、一のアクセサリーホルダーで、複数のイヤホンジャック用アクセサリーを保持できることになる。
【図面の簡単な説明】
【００１４】
【図１】図１は、この考案に係るイヤホンジャック用アクセサリーのホルダーの使用状態の斜視図である。
【図２】図２は、スマートホンなどの携帯電話へのイヤホンジャック用アクセサリーの使用状態図である。
【図３】図３は、この考案に係るイヤホンジャック用アクセサリーのホルダーの拡大平面図（ａ）及び拡大正面図（ｂ）である。
【図４】図４は図１のＡ―Ａ線拡大断面図である。
【考案を実施するための形態】
【００１５】
以下、この考案を実施するための形態について説明する。
図１は、イヤホン１のイヤホンプラグ２側のイヤホンコード３に通した、ホルダー４にイヤホンジャック用アクセサリー５を嵌め込んだ状態を示すものである。
図２に示すように、イヤホンジャック用アクセサリー５はスマートホン６のイヤホンジャック用の開口６１から刺し込み、開口からの埃や水分の侵入を防ぐとともに、所有者を識別するとともに装飾とするものである。
このアクセサリー５は、イヤホンプラグ２の金属端子部２１を模した棒体５１と、この棒体５１と一体或いは交換可能な装飾体５２を備えたものである。装飾体５２は図示のような動物の頭部を模したものに限定されず、植物、キャラクター人形、模造宝石など適宜選択し採用することができる。
【実施例１】
【００１６】
図３以下は、この考案に係るホルダー４の詳細を表わすものである。
ホルダー４は、柔軟性を備えたシリコンゴムによりなるもので、平面玉子状、正面では矩形をなすもので、平面円弧状の外形に沿って二つの小さい貫通穴４１と比較的大きな貫通穴４２を並列接近するようにしてなる。外形に沿って貫通穴４１，４２を設け、接近するようにしてある。特に、貫通穴４１の周縁は肉薄となるので輪ゴムが延びるように大きく拡がることができる。この貫通穴４１、４２は金型により成形することが望ましいが、中実の成形品を製作した後に切削して貫通穴４１、４２を穿つようにしてもよい。
小さな貫通穴４１は内径を２ｍｍとするもので、大きな貫通穴４２は内径を３ｍｍとしてある。
【００１７】
イヤホンプラグ２は、一般的には先端の金属端子部２１の太い直径は２．５ｍｍや３．５ｍｍであり、これより太い直径５ｍｍなどのプラスチックマウント部２２を介して直径２ｍｍ程度のイヤホンコード３に繋ぐようにしている。  
イヤホンジャック用アクセサリー５の、スマートホン６のイヤホンジャック用の開口６１に刺し込む棒体５１はイヤホンプラグ２の金属端子部２１を模してあるので略直径３ｍｍの太さとなる。
【００１８】
このホルダー４をイヤホン１のイヤホンプラグ２に近い、イヤホンコード３に通すには、貫通穴４１（内径２ｍｍ）を適宜の手段により押し広げ、イヤホンプラグ２の先端の金属端子部２１（直径２．５ｍｍ乃至３．５ｍｍ）に挿入し、そこから素材であるシリコンゴムの柔軟性により貫通穴４１をさらに拡げてプラスチックマウント部２２（直径５ｍｍ等）を乗り越えさせイヤホンコード３（直径２ｍｍ）にまで至るようにする。
ホルダー４をイヤホンコード３に外嵌めした状態では、貫通穴４１の内径が２ｍｍ、イヤホンコード３の直径が２ｍｍであるので密着停止することになる。
【００１９】
ホルダー４の貫通穴４２の内径は３ｍｍであり、イヤホンジャック用アクセサリー５の棒体５１は前述のように直径３ｍｍであるので、棒体５１は貫通穴４２を刺し込むことで貫通穴４２の内側壁に密着することでイヤホンジャック用アクセサリー５の抜け落ちは完全に防ぐことができることになる。
【００２０】
これまでの説明ではーホルダー４は、平面卵状としているが、雪だるま形、楕円状、８の字状或いは花びら状など、平面において大小の円弧を繋いだ適宜の形態とすることができる。また、貫通穴４１はイヤホンコード３を通すので一つでよいが、貫通穴４２を複数設けることで、一のホルダー４で複数のイヤホンジャック用アクセサリー５を刺し込めるようにすることもできる。
【００２１】
貫通穴４１の内径は２ｍｍとしてイヤホンコード３の外形と同一としてあるが、イヤホンコード３に密着すればよいので、イヤホンコード３より内径を短くするようにしても良い。なお平型のイヤホンコードであっても貫通穴４１は変形して密着できるようにする。
貫通穴４１を押し広げやすくするために、図示しないが穴縁の厚みを薄く形成するようにしてもよい。
【００２２】
貫通穴４２の内径は３ｍｍ未満として、イヤホンプラグ２の金属端子部２１の太さである３ｍｍより細くして、圧入することで貫通穴４２を押し広げ棒体５１の周囲を締め付け押圧するので抜け落ちを確実に防げることになる。貫通穴４２の周縁はイヤホンジャック用アクセサリー５を保持するために適宜の厚みを備えるようにすることが望ましい。
【符号の説明】
【００２３】
１    イヤホン
２    イヤホンプラグ
２１  金属端子部
２２  プラスチックマウント部
３    イヤホンコード
４    ホルダー
４１  貫通穴
４２  貫通穴
５    イヤホンジャック用アクセサリー
５１  棒体
【図１】
0003186140.tif 000003
【図２】
0003186140.tif 000004
【図３】
0003186140.tif 000005
【図４】
0003186140.tif 000006